(57)【要約】【課題】    被介護者を抱えて入浴させる介護用品であって、クレーン装置又はリフト装置などを不要にした入浴介護用品を提供すること。【解決手段】    入浴補助具本体１と、入浴補助具本体１に設けた一対の肩掛け搬送ベルト２と着脱器具を備えた肩部支持ベルト３及び胴部支持ベルト４とからなる。肩掛け搬送ベルト２は、入浴補助具本体１の上方縁部と下方隅部にいたる環状体であり、入浴補助具本体１の側部との間に分岐連結ベルト２０を設ける。肩部支持ベルト３は基端部を入浴補助具本体１の上縁部に固定し、胴部支持ベルト４は基端部を入浴補助具本体１の側縁部に固定する。肩部支持ベルト３及び胴部支持ベルト４には自由端に結合プラグ３１，４１を設け、これら肩部支持ベルト３及び胴部支持ベルト４の取付け位置の対向位置に結合ソケット３２，４２を設けている。【選択図】    図１
0003139723.tif 000002
【実用新案登録請求の範囲】
【請求項１】
柔軟性があるシート状資材により形成した入浴補助具本体（１）と、該入浴補助具本体に設けた一対の肩掛け搬送ベルト（２）と着脱器具を備えた肩部支持ベルト（３）及び胴部支持ベルト（４）とからなり、上記肩掛け搬送ベルトは、一方の端部を上記入浴補助具本体の正面視上方縁部に固定し、他方の端部を下方隅部に固定し、当該入浴補助具本体の側部との間を連結する分岐連結ベルト（２０）を設けるとともに被介護者の肩部に装着した時に若干の弛みを有す長さに形成したものであり、上記肩部支持ベルトは、基端部を上記補助具本体の正面視上縁部に固定し、上記胴部支持ベルトは、基端部を上記入浴補助具本体の正面視側縁部に固定したものであって、当該肩部支持ベルト及び胴部支持ベルトには、いずれも自由端に結合プラグ（３１，４１）を設け、上記入浴補助具本体において上記胴部支持ベルトの取付け位置と対向する側部に上記結合プラグを差し込む結合ソケット（３２，４２）を設け、上記肩部支持ベルトを上記入浴補助具本体に正面視で中央縦線から外れた位置に固定したことを特徴とする入浴介護用品。
【請求項２】
入浴補助具本体（１）は、正面視で方形に形成されており、表面が柔軟性を有する織物生地による表面上位部材（１１）、表面中央部材（１２）、表面下位部材（１３）の三つの部材からなり、裏面がネット生地による裏面部材（１４）からなることを特徴とする請求項１に記載の入浴介護用品。
【請求項３】
入浴補助具本体（１）は、表面中央部材（１２）にクッション機能を有する中央部クッション（１６）が設けられていることを特徴とする請求項２に記載の入浴介護用品。
【請求項４】
入浴補助具本体（１）は、表面下位部材（１３）にクッション機能を有する下部クッション（１７）が設けられていることを特徴とする請求項２又は３に記載の入浴介護用品。
【請求項５】
肩掛け搬送ベルト（２）は、少なくとも被介護者の肌に直接触れる部分にクッション機能を有するクッションカバー（２１）が設けられていることを特徴とする請求項１に記載の入浴介護用品。
【請求項６】
肩掛け搬送ベルト（２）を結合する結合ソケット（３２，４２）は、袋状に形成した筒カバー（３４，４４）内に収容されていることを特徴とする請求項５に記載の入浴介護用品。
【考案の詳細な説明】
【技術分野】
【０００１】
本考案は、入浴介護用品に関しており、さらに詳しくは、介護を必要とする人の入浴を補助する介護用品に関するものである。
【背景技術】
【０００２】
従来から、介護を必要とする人の入浴を補助する入浴用の介護用品は知られており、代表的なものに、椅子付き吊り装置を有しており、この椅子付き吊り装置を上下方向に移動可能でかつ水平方向に旋回可能に設けたもの（特許文献１，２）、また、介護を必要とする人を搬送するための移動用介護着（特許文献３）なども知られている。
【０００３】
特許文献１，２に記載の介護用品は、介護される人を椅子に座らせることができれば、介護をする人及び介護される人の双方にとって使用し易いものであるが、浴室内に介護用品を吊るすためのクレーン装置を設置する必要があり、全ての家庭で設置できるとは言い難いものであった。
【０００４】
また、特許文献３に記載の移動用介護着は、胸部用着１０（特許文献公報の符号であって以下同じ）と臀部用着２０からなり、それぞれの着に吊持部１５が設けられているものであり、被介護者が着用している状態で吊持部１５を介して吊り上げてトイレ又は浴室に搬送するものである。しかし、介護を必要とする人を搬送するためには、ベッドとトイレ及びベッドと浴室間に昇降装置を設置するものであるから（段落００２２）、上記特許文献１，２の場合と同様に全家庭で利用できるものではなかった。
【０００５】
高齢化が急速に進んでいる現在、高齢者が高齢者を介護する老老介護の傾向が多くなっており、在宅介護における入浴は、介護者及び被介護者の双方にとって極めて負担のかかるものであった。この点、上記特許文献によって提案されている介護用品は、被介護者を吊り上げて搬送ないしは入浴させるものであり、介護者の負担を軽減し効率よく介護ができるようにすることに重点をおけば、提案された装置が優れていることは当然であるが、被介護者にとってみれば、クレーン装置又はリフト装置によって吊り上げて搬送されることには僅かとはいえ抵抗感を伴うものである。
【０００６】
【特許文献１】特開２００１−３３３９５６号公報
【特許文献２】実用新案登録第３１０６５１４号公報
【特許文献３】特開２００２−３３６３１０号公報
【考案の開示】
【考案が解決しようとする課題】
【０００７】
本考案の課題は、被介護者を抱えて入浴させる介護用品であって、クレーン装置又はリフト装置などが不要であるだけでなく、被介護者にとって介護を受けている実感が伝わる入浴介護用品を提供することである。
【課題を解決するための手段】
【０００８】
解決手段の第１は、柔軟性があるシート状資材により形成した入浴補助具本体と、該入浴補助具本体に設けた一対の肩掛け搬送ベルトと着脱器具を備えた肩部支持ベルト及び胴部支持ベルトとからなり、上記肩掛け搬送ベルトは、一方の端部を上記入浴補助具本体の正面視上方縁部に固定し、他方の端部を下方隅部に固定し、当該入浴補助具本体の側部との間を連結する分岐連結ベルトを設けるとともに被介護者の肩部に装着した時に若干の弛みを有す長さに形成したものであり、上記肩部支持ベルトは、基端部を上記補助具本体の正面視上縁部に固定し、上記胴部支持ベルトは、基端部を上記入浴補助具本体の正面視側縁部に固定したものであって、当該肩部支持ベルト及び胴部支持ベルトには、いずれも自由端に結合プラグを設け、上記入浴補助具本体において上記胴部支持ベルトの取付け位置と対向する側部に上記結合プラグを差し込む結合ソケットを設け、上記肩部支持ベルトを上記入浴補助具本体に正面視で中央縦線から外れた位置に固定したことを特徴とするものである。
【０００９】
解決手段の第２は、解決手段の第１において、入浴補助具本体が正面視で方形に形成されており、表面が柔軟性を有する織物生地による表面上位部材、表面中央部材、表面下位部材の三つの部材からなり、裏面がネット生地による裏面部材からなることを特徴とするものである。
【００１０】
解決手段の第３は、解決手段の第２において、入浴補助具本体の表面中央部材にクッション機能を有する中央部クッションが設けられていることを特徴とするものである。
【００１１】
解決手段の第４は、解決手段の第２又は３において、入浴補助具本体の表面下位部材にクッション機能を有する下部クッションが設けられていることを特徴とするものである。
【００１２】
解決手段の第５は、解決手段の第１において、肩掛け搬送ベルトは、少なくとも被介護者の肌に直接触れる部分にクッション機能を有するクッションカバーが設けられていることを特徴とするものである。
【００１３】
解決手段の第６は、解決手段の第５において、肩掛け搬送ベルトを結合する結合ソケットが、袋状に形成した筒カバー内に収容されていることを特徴とするものである。
【考案の効果】
【００１４】
請求項１は、入浴補助具本体に設けた一対の肩掛け搬送ベルトに当該入浴補助具本体の側部との間を連結する分岐連結ベルトを設けるとともに、入浴補助具本体に肩部支持ベルト及び胴部支持ベルトを設けたものであって、展開した入浴補助具本体に被介護者を座らせ、肩部支持ベルト及び胴部支持ベルトによって被介護者を入浴補助具本体に固定し、肩掛け搬送ベルトを両肩に掛けてから当該肩掛け搬送ベルトと分岐連結ベルトの連結部を掴んで被介護者を抱きかかえるようにして浴槽内に誘導するものであるから、クレーン装置やリフト装置など機械的な装置を使用しないで被介護者を入浴させることができるので、被介護者にとって介護を受けている実感が伝わり人間味のある介護用品となることの効果がある。
【００１５】
また、請求項１は、肩掛け搬送ベルトが被介護者の両肩に装着した時に若干の弛みを有する長さに形成されているから、被介護者の搬送時に、肩掛け搬送ベルトを肩に掛けてから腋の下を通して後方に引き出し、ベルトの弛みを解消した状態に保って当該肩掛け搬送ベルトを分岐連結ベルトの連結部とともに掴めば、被介護者と入浴補助具本体との間に生ずる弛みを解消し被介護者を安定よく固定し誘導することができるものとなる。
【００１６】
請求項２は、入浴補助具本体が、表面部材が上位、中央、下位の三つの部材に分割した織物生地により形成し、裏面生地がネット生地によって形成したものであるから、部材の重量を抑制でき又湯に浸かった場合に重量が増えないこと及び水切れがよいので、介護者の作業を軽減できる効果がある。
【００１７】
請求項３は、入浴補助具本体の表面上位部材にクッション機能を有する中央部クッションを設けたものであるから、被介護者の臀部、特に持ち上げられた時に尾骨を痛めることを防ぐ効果がある。
【００１８】
請求項４は、入浴補助具本体の表面下位部材にクッション機能を有する下部クッションを設けたものであるから、特に持ち上げられた時に被介護者が太股を痛めることを防ぐ効果がある。
【００１９】
請求項５は、肩掛け搬送ベルトにクッション機能を有するクッションカバーが設けられているから、脇の下を通す場合に被介護者の肌を痛めない効果を発揮するものである。
【００２０】
請求項６は、結合ソケットが袋状に形成した筒カバー内に収容されているから、入浴のために裸になっている被介護者に対し、硬いプラスチックや金属が直接肌に触れることが防止でき、被介護者にとって快適な気分で入浴できるものとなる。
【考案を実施するための最良の形態】
【００２１】
図１〜図３は本考案の入浴介護用品を示しており、図１は展開した状態を示す正面図、図２は同背面図であって、図１が被介護者に当接する面となるものである。図３は図１におけるＡ−Ａ断面図、図４〜図６は本考案品の使用手順を示す斜視図である。
【００２２】
図１〜図３において、本考案の入浴介護用品は、入浴補助具本体１と該入浴補助具本体１に設けた一対の肩掛け搬送ベルト２と着脱機能を備えた肩部支持ベルト３と胴部支持ベルト４とからなるものであって、当該入浴補助具本体１は柔軟性がある生地を使用し、好ましくは柔軟性があって水を含み難い生地を使用している。
【００２３】
上記入浴補助具本体１は、正面視で方形に形成されており、表面がタオル生地などの肌触りがよい織物生地による表面上位部材１１、表面中央部材１２、表面下位部材１３の三つの部材からなり、裏面がネット生地による裏面部材１４であり、これら部材を重合して周縁を縁取りテープ１５により縫製したものである。ここで、上記表面上位、中央、下位の各部材１１，１２，１３は一枚物とすることができるが、部材を三つに分割することによって、湯に浸かった時に重量が増えないことと共に水切れが促進されるものとなる。また、１６は表面中央部材１２に縫着した中央部クッションであり、被介護者の臀部、特に持ち上げられた時に尾骨を痛めることを防ぐものである。１７は表面下位部材１３に縫着した下部クッションであり、被介護者が抱えられた時に太股を痛めることが防げるものである。
【００２４】
実施形態において、上記入浴補助具本体１の表面部材１１，１２，１３は綿製タオル地を使用し、また、裏面部材１４はナイロンネット地を使用したが、これら各部材は、いずれも柔軟性があり水切れの良い素材であればよい。
【００２５】
上記肩掛け搬送ベルト２は、一方の端部を入浴補助具本体１の表面上位部材１１の正面視上方縁部の近傍に固定し、他方を表面下位部材１３の隅部に固定したものであり、左右一対で設けられており、被介護者の両肩に装着した時に若干の弛みが生ずる長さに形成されている。また、肩掛け搬送ベルト２には、入浴補助具本体１の側部との間を連結する分岐連結ベルト２０が設けられている。なお、当該肩掛け搬送ベルト２は、被介護者の肩から脇の下を通して後方に引き出して使用するものであるから、少なくとも被介護者の皮膚に直接触れる部分にクッション機能を有するクッションカバー２１を縫着している。ただし、クッションカバー２１を縫着する長さは任意とする。
【００２６】
また、上記肩部支持ベルト３は、基端部を表面上位部材１１の正面視上縁部に固定し、上記胴部支持ベルト４は、基端部を表面中央部材１２の正面視左側縁部に固定する。ここで、肩部支持ベルト３は中央縦線よりも若干左側に外れた位置に固定し、また、胴部支持ベルト４は水平線よりもやや下方位置に固定する。この他、肩部支持ベルト３及び胴部支持ベルト４には、いずれも自由端に結合プラグ３１，４１を設けるとともに、上記入浴補助具本体１の正面視右側縁部に当該結合プラグ３１，４１を差し込む結合ソケット３２，４２を設けている。なお、肩部支持ベルト３及び胴部支持ベルト４は、いずれも全体の長さが調整できる長さ調整金具３３，４３を備えている。
【００２７】
上記結合ソケット３２，４２は、袋状に形成した筒カバー３４，４４内に収容されており、被介護者が入浴のために裸になっているので、硬いプラスチック又は金属が肌に直接触れないように配慮されている。
【００２８】
本考案の入浴介護用品は上記の構成からなり、本考案品を使用する場合は、浴槽に隣接して椅子を設置し、設置した椅子に入浴補助具本体１を展開状態で広げ、該入浴補助具本体１に被介護者を座らせてから当該入浴補助具本体１を被介護者に装着し、この状態で被介護者を抱えて浴槽内に誘導するものである。
【００２９】
図中、１００は浴槽、２００は椅子であって浴槽１００の縁に載置して使用するものである。実施形態において、椅子２００は浴槽１００の両縁に載置した時、一端が浴槽から突出する長さを有している。椅子の長さを上記長さに形成したのは、浴槽から突出した部分を利用して被介護者に入浴補助具本体１を装着し、被介護者が椅子に腰掛けたまま浴槽内に移動できるようにしたものである。ただし、椅子２００の形態及び長さが任意であることは勿論である。
【００３０】
次に、図４〜図６を参照して本考案品の使用手順を説明する。まず、本考案品の入浴補助具本体１の使用に先立って浴槽１００の縁に椅子２００を載置し、椅子２００の一端を浴槽１００の外に突出する。ここで、椅子２００は浴槽１００の縁部に確りと固定し、被介護者が椅子上を移動する場合に浴槽の縁から外れないようにしておく必要があることは言うまでもない。
【００３１】
入浴補助具本体１は、表面部材１１，１２，１３を表面にして浴槽１００から突出させた椅子２００に載置し、被介護者を脚部が表面下位部材１３に向くように座らせ、肩部支持ベルト３及び胴部支持ベルト４を、それぞれの結合プラグ３１，４１を結合ソケット３２，４２に差し込んで固定する。肩部支持ベルト３は表面上位部材１１に対し中央縦線よりも若干左側に固定されているので、入浴補助具本体１を被介護者に装着した時は、被介護者の右肩から左腰に向かって延びているので、当該肩部支持ベルト３は胴部支持ベルト４とともに被介護者に対し自動車のシートベルトと同じ態様で装着される（図４）。
【００３２】
次いで一対で設けられた肩掛け搬送ベルト２を被介護者の肩に掛け、被介護者が恰もリュクサックを背負った態様にして入浴補助具本体１を装着する（図５）。
【００３３】
次に、被介護者を浴槽に誘導するために、肩掛け搬送ベルト２を被介護者の脇の下に通して後方に引っ張って当該肩掛け搬送ベルト２を弛みなく被介護者に装着する。ここで、介護者が分岐連結ベルト２０の連結部分を持って入浴補助具本体１全体を持ち上げ、椅子２００上を移動して被介護者を浴槽１００内に誘導する（図６）。
【００３４】
分岐連結ベルト２０の連結部分を掴んで入浴補助具本体１を持ち上げると、入浴補助具本体１の略四隅部が吊り上げられるので、分岐連結ベルト２０の連結部分を持ち上げることによって被介護者を椅子２００から浮き上がらせることができるが、被介護者の障害程度によって身体を支えている必要がある場合は、当該分岐連結ベルト２０の連結部分を掴む時に、肩掛け搬送ベルト２を一緒に掴むと当該肩掛け搬送ベルト２の弛みが解消され、被介護者を入浴補助具本体１に確りと固定できるので、これにより被介護者を安定した状態で浴槽１００に誘導することが可能となる。
【００３５】
なお、介護者は、浴槽１００の外にいて被介護者の身体を洗うなど入浴介護を行うか又は介護者自身も浴槽に入って入浴介護をする。また、浴槽１００の種類によっては、側方が壁になっていて介護者が立ち入れない構造になっているものがあるから、この場合は、椅子２００を浴槽１００の側縁から離して載置し、側縁と椅子２００との間に人が入れる空所を形成すれば、被介護者を浴槽１００に誘導する時に介護者自身も共に浴槽内に入って入浴させることが可能となる。
【図面の簡単な説明】
【００３６】
【図１】本考案の介護用品を展開した状態で示す正面図。
【図２】図１に示す介護用品の背面図。
【図３】図１におけるＡ−Ａ断面図。
【図４】本考案品の使用手順（第１）を示す斜視図。
【図５】本考案品の使用手順（第２）を示す斜視図。
【図６】本考案品の使用手順（第３）を示す斜視図。
【符号の説明】
【００３７】
１  入浴補助具本体
２  肩掛け搬送ベルト
３  肩部支持ベルト
４  胴部支持ベルト
１１  表面上位部材
１２  表面中央部材
１３  表面下位部材
１４  裏面部材
１５  縁取りテープ
１６  中央部クッション
１７  下部クッション
２０  分岐連結ベルト
２１  クッションカバー
３１，４１  結合プラグ
３２，４２  結合ソケット
３３，４３  長さ調整金具
３４，４４  筒カバー
１００  浴槽
２００  椅子
【図１】
0003139723.tif 000003
【図２】
0003139723.tif 000004
【図３】
0003139723.tif 000005
【図４】
0003139723.tif 000006
【図５】
0003139723.tif 000007
【図６】
0003139723.tif 000008